(57)【要約】【課題】  ドキュメント印刷時の操作性を飛躍的に向上させる。【解決手段】  プリンタ及び印刷条件が設定されたプリンタフォルダーアイコンに対して、ドキュメントを表わすドキュメントアイコンをドラッグ＆ドロップすることで、該プリンタフォルダーアイコンに設定されたプリンタ及び印刷条件でドキュメントを印刷することが可能な印刷システムであって、プリンタ及び印刷条件を設定したプリンタフォルダーアイコンを作成するプリンタフォルダーアイコン作成部と１ａ、プリンタフォルダーアイコンの下にサブフォルダーとして階層的に複数のプリンタフォルダーアイコンを関連付けて、複数のプリンタフォルダーアイコンをツリー構造で表現するサブフォルダー作成部１ｂとを備える。【選択図】  図１
2006195562.tif 000002
【特許請求の範囲】
【請求項１】
プリンタ及び印刷条件が設定されたプリンタフォルダーアイコンに対してドキュメントを表わすドキュメントアイコンを所定操作することで、該プリンタフォルダーアイコンに設定されたプリンタ及び印刷条件でドキュメントを印刷することが可能な印刷システムであって、
プリンタ及び印刷条件を設定したプリンタフォルダーアイコンを作成するプリンタフォルダーアイコン作成手段と、
プリンタフォルダーアイコンの下にサブフォルダーとして階層的に複数のプリンタフォルダーアイコンを関連付けて、複数のプリンタフォルダーアイコンをツリー構造で表現するサブフォルダー作成手段とを備えたことを特徴とする印刷システム。
【請求項２】
前記ツリー構造で表現されるプリンタフォルダーアイコンのルートノード、或いは、中間ノードを示すプリンタフォルダーアイコンに対してドキュメントアイコンを所定操作した場合に、前記ドキュメントアイコンを所定操作したプリンタフォルダーアイコンをルートノードとするサブツリーに含まれるプリンタフォルダーアイコンに設定されたプリンタ及び印刷条件でドキュメントを印刷することを特徴とする請求項１に記載の印刷システム。
【請求項３】
各プリンタフォルダーアイコンに識別子を設定する識別子設定手段を備えたことを特徴とする請求項１又は２に記載の印刷システム。
【請求項４】
任意のプリンタフォルダーアイコンを複製する複製手段を備え、前記識別子設定手段は複製したプリンタフォルダーアイコンにオリジナルのプリンタフォルダーアイコンと同一の識別子を割り当てることを特徴とする請求項３に記載の印刷システム。
【請求項５】
任意のプリンタフォルダーアイコンに設定されたプリンタ及び／又は印刷条件を変更する変更手段と、
前記変更手段によってプリンタ及び／又は印刷条件を変更したプリンタフォルダーアイコンと同一の識別子を持つプリンタフォルダーアイコンをフォルダーツリーの中から検出する同一識別子検出手段と、
前記同一識別子検出手段によって検出したプリンタフォルダーアイコンに対して前記変更手段によって行ったプリンタ及び／又は印刷条件の変更を反映させる変更反映手段とを備えたことを特徴とする請求項４に記載の印刷システム。
【請求項６】
プリンタ及び印刷条件が設定されたプリンタフォルダーアイコンに対してドキュメントを表わすドキュメントアイコンを所定操作することで、該プリンタフォルダーアイコンに設定されたプリンタ及び印刷条件でドキュメントを印刷することが可能な印刷システムを利用した印刷方法であって、
プリンタフォルダーアイコン作成手段によりプリンタ及び印刷条件を設定したプリンタフォルダーアイコンを作成する手順と、
サブフォルダー作成手段によりプリンタフォルダーアイコンの下にサブフォルダーとして階層的に複数のプリンタフォルダーアイコンを関連付けて、複数のプリンタフォルダーアイコンをツリー構造で表現する手順とを有することを特徴とする印刷方法。
【請求項７】
プリンタ及び印刷条件が設定されたプリンタフォルダーアイコンに対してドキュメントを表わすドキュメントアイコンを所定操作することで、該プリンタフォルダーアイコンに設定されたプリンタ及び印刷条件でドキュメントの印刷指示を行うことが可能な情報処理装置であって、
プリンタ及び印刷条件を設定したプリンタフォルダーアイコンを作成するプリンタフォルダーアイコン作成手段と、
プリンタフォルダーアイコンの下にサブフォルダーとして階層的に複数のプリンタフォルダーアイコンを関連付けて、複数のプリンタフォルダーアイコンをツリー構造で表現するサブフォルダー作成手段とを備えたことを特徴とする情報処理装置。
【請求項８】
プリンタ及び印刷条件が設定されたプリンタフォルダーアイコンに対してドキュメントを表わすドキュメントアイコンを所定操作することで、該プリンタフォルダーアイコンに設定されたプリンタ及び印刷条件でドキュメントを印刷することが可能な印刷装置であって、
プリンタ及び印刷条件を設定したプリンタフォルダーアイコンを作成するプリンタフォルダーアイコン作成手段と、
プリンタフォルダーアイコンの下にサブフォルダーとして階層的に複数のプリンタフォルダーアイコンを関連付けて、複数のプリンタフォルダーアイコンをツリー構造で表現するサブフォルダー作成手段とを備えたことを特徴とする印刷装置。
【請求項９】
プリンタ及び印刷条件が設定されたプリンタフォルダーアイコンに対してドキュメントを表わすドキュメントアイコンを所定操作することで、該プリンタフォルダーアイコンに設定されたプリンタ及び印刷条件でドキュメントを印刷するための処理をコンピュータに実行させるコンピュータプログラムであって、
プリンタ及び印刷条件を設定したプリンタフォルダーアイコンを作成する処理と、
プリンタフォルダーアイコンの下にサブフォルダーとして階層的に複数のプリンタフォルダーアイコンを関連付けて、複数のプリンタフォルダーアイコンをツリー構造で表現する処理とをコンピュータに実行させることを特徴とするコンピュータプログラム。
【発明の詳細な説明】
【技術分野】
【０００１】
本発明は、プリンタ及び印刷条件が設定されたプリンタフォルダーアイコンに対してドキュメントを表わすドキュメントアイコンをドラッグ＆ドロップ等の操作をすることで、該プリンタフォルダーアイコンに設定されたプリンタ及び印刷条件でドキュメントを印刷することが可能な印刷システム、方法、情報処理装置、印刷装置、及びコンピュータプログラムに関する。
【背景技術】
【０００２】
従来、例えばコンピュータ上のアプリケーションで作成されたドキュメントをプリンタによって印刷する場合、作成したアプリケーション上でプリンタを選択し、選択したプリンタに対して原稿サイズ、印刷部数、両面印刷、印刷倍率等の様々な印刷条件の設定を行ってから印刷を実行することが一般的であった。
【０００３】
このような操作性上の問題に対して、プリンタ及び印刷条件が設定されたアイコン（プリンタアイコン）をコンピュータのユーザインターフェース上に表示し、そのプリンタアイコンに対してドキュメントを表わすアイコン（ドキュメントアイコン）をドラッグ＆ドロップすることにより、予め設定されたプリンタ及び印刷条件で自動的に印刷を実行するシステムも一般的になりつつある。
【０００４】
また、１つのプリンタアイコンに対して複数のプリンタ及び印刷条件を関連付けて、ドキュメントアイコンのドラッグ＆ドロップにより、複数のプリンタで予め設定された印刷条件により同時に印刷を実行するシステムも存在する。
【発明の開示】
【発明が解決しようとする課題】
【０００５】
しかしながら、上述したように１つのプリンタアイコンに対して複数のプリンタ及び印刷条件を関連付ける場合、プリンタアイコンに関連付けられた複数のプリンタのうち一部のプリンタのみで印刷を実行したい場合には、新規にプリンタアイコンを作成し、必要なプリンタ及び印刷条件を新たに設定する必要があった。
【０００６】
また、複数のプリンタアイコンに関連付けられているプリンタを他のプリンタに変更する場合には、必要なプリンタアイコンの設定を確認し、それらの設定を１つずつ変更する必要があった。
【０００７】
本発明は上記のような点に鑑みてなされたものであり、上述した課題を解決し、ドキュメント印刷時の操作性を飛躍的に向上させることを目的とする。
【課題を解決するための手段】
【０００８】
本発明による印刷システムは、プリンタ及び印刷条件が設定されたプリンタフォルダーアイコンに対してドキュメントを表わすドキュメントアイコンを所定操作することで、該プリンタフォルダーアイコンに設定されたプリンタ及び印刷条件でドキュメントを印刷することが可能な印刷システムであって、プリンタ及び印刷条件を設定したプリンタフォルダーアイコンを作成するプリンタフォルダーアイコン作成手段と、プリンタフォルダーアイコンの下にサブフォルダーとして階層的に複数のプリンタフォルダーアイコンを関連付けて、複数のプリンタフォルダーアイコンをツリー構造で表現するサブフォルダー作成手段とを備えた点に特徴を有する。
本発明による印刷方法は、プリンタ及び印刷条件が設定されたプリンタフォルダーアイコンに対してドキュメントを表わすドキュメントアイコンを所定操作することで、該プリンタフォルダーアイコンに設定されたプリンタ及び印刷条件でドキュメントを印刷することが可能な印刷システムを利用した印刷方法であって、プリンタフォルダーアイコン作成手段によりプリンタ及び印刷条件を設定したプリンタフォルダーアイコンを作成する手順と、サブフォルダー作成手段によりプリンタフォルダーアイコンの下にサブフォルダーとして階層的に複数のプリンタフォルダーアイコンを関連付けて、複数のプリンタフォルダーアイコンをツリー構造で表現する手順とを有する点に特徴を有する。
本発明による情報処理装置は、プリンタ及び印刷条件が設定されたプリンタフォルダーアイコンに対してドキュメントを表わすドキュメントアイコンを所定操作することで、該プリンタフォルダーアイコンに設定されたプリンタ及び印刷条件でドキュメントの印刷指示を行うことが可能な情報処理装置であって、プリンタ及び印刷条件を設定したプリンタフォルダーアイコンを作成するプリンタフォルダーアイコン作成手段と、プリンタフォルダーアイコンの下にサブフォルダーとして階層的に複数のプリンタフォルダーアイコンを関連付けて、複数のプリンタフォルダーアイコンをツリー構造で表現するサブフォルダー作成手段とを備えた点に特徴を有する。
本発明による印刷装置は、プリンタ及び印刷条件が設定されたプリンタフォルダーアイコンに対してドキュメントを表わすドキュメントアイコンを所定操作することで、該プリンタフォルダーアイコンに設定されたプリンタ及び印刷条件でドキュメントを印刷することが可能な印刷装置であって、プリンタ及び印刷条件を設定したプリンタフォルダーアイコンを作成するプリンタフォルダーアイコン作成手段と、プリンタフォルダーアイコンの下にサブフォルダーとして階層的に複数のプリンタフォルダーアイコンを関連付けて、複数のプリンタフォルダーアイコンをツリー構造で表現するサブフォルダー作成手段とを備えた点に特徴を有する。
本発明によるコンピュータプログラムは、プリンタ及び印刷条件が設定されたプリンタフォルダーアイコンに対してドキュメントを表わすドキュメントアイコンを所定操作することで、該プリンタフォルダーアイコンに設定されたプリンタ及び印刷条件でドキュメントを印刷するための処理をコンピュータに実行させるコンピュータプログラムであって、プリンタ及び印刷条件を設定したプリンタフォルダーアイコンを作成する処理と、プリンタフォルダーアイコンの下にサブフォルダーとして階層的に複数のプリンタフォルダーアイコンを関連付けて、複数のプリンタフォルダーアイコンをツリー構造で表現する処理とをコンピュータに実行させる点に特徴を有する。
【発明の効果】
【０００９】
本発明によれば、複数のプリンタフォルダーアイコンをツリー構造で表現するようにしたので、複数のプリンタフォルダーアイコンをグループ毎に認識することができ、ドキュメント印刷時の操作性を飛躍的に向上させることができる。
【００１０】
また、ツリー構造で表現されるプリンタフォルダーアイコンのルートノード、或いは、中間ノードを示すプリンタフォルダーアイコンに対してドキュメントアイコンを所定操作した場合に、ドキュメントアイコンを所定操作したプリンタフォルダーアイコンをルートノードとするサブツリーに含まれるプリンタフォルダーアイコンに設定されたプリンタ及び印刷条件でドキュメントを印刷することにより、複数のプリンタで選択的に印刷を実行することができる。
【００１１】
また、任意のプリンタフォルダーアイコンを複製する複製手段を備えることにより、ツリー構造の所望箇所にプリンタフォルダーアイコンを容易に複製することができる。
【００１２】
また、任意のプリンタフォルダーアイコンに設定されたプリンタ及び／又は印刷条件を変更する変更手段と、変更手段によってプリンタ及び／又は印刷条件を変更したプリンタフォルダーアイコンと同一の識別子を持つプリンタフォルダーアイコンをフォルダーツリーの中から検出する同一識別子検出手段と、同一識別子検出手段によって検出したプリンタフォルダーアイコンに対して前記変更手段によって行ったプリンタ及び／又は印刷条件の変更を反映させる変更反映手段とを備えることにより、複製されたプリンタフォルダーアイコンの設定が変更された場合に、オリジナル或いは同様に複製されたプリンタフォルダーアイコンに設定の変更を容易に反映させることができる。
【発明を実施するための最良の形態】
【００１３】
以下、添付図面を参照して、本発明の好適な実施形態について説明する。図１は、本発明を適用した自動印刷システムの構成例を示す図である。同図において、１はパーソナルコンピュータであり、表示装置４及びマウスやキーボード等の入力装置５を有する。２はプリンタであり、パーソナルコンピュータ１にネットワーク３を介して接続する。
【００１４】
パーソナルコンピュータ１は、プリンタ及び印刷条件を設定したプリンタフォルダーアイコンを作成するプリンタフォルダーアイコン作成部１ａ、プリンタフォルダーアイコンの下にサブフォルダーとして階層的に複数のプリンタフォルダーアイコンを関連付けて、複数のプリンタフォルダーアイコンをツリー構造で表現するサブフォルダー作成部１ｂ、各プリンタフォルダーアイコンに識別子を設定する識別子設定部１ｃ、任意のプリンタフォルダーアイコンを複製する複製部１ｄ、任意のプリンタフォルダーアイコンに設定されたプリンタ及び／又は印刷条件を変更する変更部１ｅ、変更部１ｅによってプリンタ及び／又は印刷条件を変更したプリンタフォルダーアイコンと同一の識別子を持つプリンタフォルダーアイコンをフォルダーツリーの中から検出する同一識別子検出部１ｆと、同一識別子検出部１ｆによって検出したプリンタフォルダーアイコンに対して変更部１ｅによって行ったプリンタ及び／又は印刷条件の変更を反映させる変更反映部１ｇ等を備える。
【００１５】
図２は、自動印刷システムのユーザインターフェースの一例を示す図である。同図において、１００はコンピュータ上のアプリケーションやスキャナ等の周辺機器を利用して作成されたドキュメントを表わすドキュメントアイコンである。
【００１６】
また、１０１はツリー構造のルートノードにあたるプリンタフォルダーアイコンである。１１０、１２０、１３０はツリー構造の中間ノードにあたるプリンタフォルダーアイコンである。１１１、１１２、１１３は親ノードをプリンタフォルダーアイコン１１０とする終端ノードにあたるプリンタフォルダーアイコンである。１２１、１２２、１２３は親ノードをプリンタフォルダーアイコン１２０とする終端ノードにあたるプリンタフォルダーアイコンである。１３１、１３２、１３３は親ノードをプリンタフォルダーアイコン１３０とする終端ノードにあたるプリンタフォルダーアイコンである。
【００１７】
ここで、図中矢印（１）は、プリンタフォルダーアイコン１０１へのドキュメントアイコン１００のドラッグ＆ドロップを表わすものである。この場合、各プリンタフォルダーアイコン１０１、１１０、１２０、１３０、１１１、１１２、１１３、１２１、１２２、１２３、１３１、１３２、１３３に設定されたプリンタ及びその印刷条件で印刷を実行する。なお、ルートノードにあたるプリンタフォルダーアイコン１０１、及び、中間ノードにあたるプリンタフォルダーアイコン１１０、１２０、１３０には印刷条件が設定されていなくても良いものとする。
【００１８】
図中矢印（２）は、プリンタフォルダーアイコン１１０へのドキュメントアイコン１００のドラッグ＆ドロップを表わすものである。この場合、各プリンタフォルダーアイコン１１０、１１１、１１２、１１３に設定されたプリンタ及びその印刷条件で印刷を実行する。なお、ルートノードにあたるプリンタフォルダーアイコン１１０には印刷条件が設定されていなくても良いものとする。
【００１９】
図中矢印（３）は、プリンタフォルダーアイコン１１１へのドキュメントアイコン１００のドラッグ＆ドロップを表わすものである。この場合、プリンタフォルダーアイコン１１１に設定されたプリンタ及びその印刷条件で印刷を実行する。
【００２０】
本実施形態の自動印刷システムでは、作成されたツリー構造を持つプリンタフォルダーの任意のノードのプリンタフォルダーアイコンにドキュメントアイコンをドラッグ＆ドロップすることにより、設定された複数のプリンタに対して選択的に印刷を実行させることができる。
【００２１】
図３は、本実施形態の自動印刷システムにおいて任意のノードのプリンタフォルダーアイコンにドキュメントアイコンをドラッグ＆ドロップした場合の自動印刷処理を示すフローチャートである。
【００２２】
ステップＳ３０１では、ツリー構造のノード数を検出する一般的な方法によってドキュメントアイコンをドラッグ＆ドロップしたプリンタフォルダーアイコンをルートノードとするフォルダーツリーを構成するプリンタフォルダーアイコンの総数ｎ1を検出する。
【００２３】
ステップＳ３０２では、検出したプリンタフォルダーアイコンの数をカウントするための変数ｉの値を０に初期化する。
【００２４】
ステップＳ３０３では、プリンタフォルダーアイコンの数をカウントするための変数ｉが、プリンタフォルダーアイコンの総数ｎ1を超えているか否かの判断を行い、変数ｉがプリンタフォルダーアイコンの総数ｎ1を超えていない場合にはステップＳ３０４に進み（ステップＳ３０３：Ｙｅｓ）、超えている場合にはステップＳ３０８に進む（ステップＳ３０３：Ｎｏ）。
【００２５】
ステップＳ３０４では、ｉ番目のプリンタフォルダーアイコンに設定された印刷条件が設定されているか否かの検出を行う。
【００２６】
ステップＳ３０５では、ステップＳ３０４によってプリンタフォルダーアイコンの印刷条件が検出されたか否かの判断を行い、印刷条件が設定されている場合にはステップＳ３０６（ステップＳ３０５：Ｙｅｓ）に進み、設定されていない場合にはステップＳ３０７に進む（ステップＳ３０５：Ｎｏ）。
【００２７】
ステップＳ３０６では、ステップＳ３０５においてｉ番目のプリンタフォルダーアイコンに印刷条件が設定されていると判断された場合、設定された印刷条件を記憶する。
【００２８】
ステップＳ３０７では、プリンタフォルダーアイコンをカウントするための変数ｉをインクリメントし、ステップＳ３０３に戻る。
【００２９】
ステップＳ３０８では、ステップＳ３０６で記憶した印刷条件により、ドキュメントアイコンによって示されるドキュメントの印刷処理を実行する。
【００３０】
図４は、本実施形態の自動印刷システムにおいてプリンタフォルダーツリーＡ、プリンタフォルダーツリーＢ、プリンタフォルダーツリーＣに属するプリンタフォルダーアイコンの設定条件を変更する場合を説明するための図である。同図において、プリンタフォルダーツリーＢ、Ｃのプリンタフォルダーアイコン４０１、４０２は、プリンタフォルダーツリーＡのプリンタフォルダーアイコン４００を複製して作成されたものとする。
【００３１】
ここで、図中矢印（１）は、プリンタフォルダーアイコン４００の出力先として設定されたプリンタＡをプリンタＢに変更したことを表わすものである。
【００３２】
図中矢印（２）は、プリンタフォルダーツリーＢに属するプリンタフォルダーアイコンのうちプリンタフォルダーアイコン４００から複製されたプリンタフォルダーアイコン４０１を検出し、同様に出力先として設定されたプリンタＡをプリンタＢに変更したことを表わすものである。
【００３３】
図中矢印（３）は、プリンタフォルダーツリーＣに属するプリンタフォルダーアイコンのうちプリンタフォルダーアイコン４００から複製されたプリンタフォルダーアイコン４０２を検出し、同様に出力先として設定されたプリンタＡをプリンタＢに変更したことを表わすものである。
【００３４】
図５は、本実施形態の自動印刷システムにおいて任意のノードのプリンタフォルダーアイコンの印刷条件を変更した場合の処理を示すフローチャートである。プリンタフォルダーアイコンの作成時に識別子が割り当てられ、プリンタフォルダーアイコンを複製した場合には、オリジナルのプリンタフォルダーアイコンと同じ識別子が割り当てられるものとする。
【００３５】
ステップＳ５０１では、任意の識別子ｙが割り当てられたプリンタフォルダーアイコンに印刷条件を変更する。
【００３６】
ステップＳ５０２では、自動印刷システムによって作成された全てのプリンタフォルダーツリーのノードの総数ｎ2をツリー構造のノード数を検出する一般的な方法によって検出する。
【００３７】
ステップＳ５０３では、検出した全てのプリンタフォルダーツリーに属するプリンタフォルダーアイコンの数をカウントするための変数ｊの値を０に初期化する。
【００３８】
ステップＳ５０４では、プリンタフォルダーアイコンの数をカウントするための変数ｊが、全てのプリンタフォルダーツリーに属するプリンタフォルダーアイコンの総数ｎ2を超えているか否かの判断を行い、変数ｊがプリンタフォルダーアイコンの総数ｎ2を超えていない場合にはステップＳ５０５に進み（ステップＳ５０４：Ｙｅｓ）、超えている場合には処理を終了する（ステップＳ５０４：Ｎｏ）。
【００３９】
ステップＳ５０５では、ｊ番目のプリンタフォルダーアイコンに割り当てられた識別子の検出を行う。
【００４０】
ステップＳ５０６では、ステップＳ５０５において検出されたプリンタフォルダーアイコンの識別子がステップＳ５０１において設定を変更したプリンタフォルダーの識別子ｙと一致するか否かの判断を行い、一致する場合にはステップＳ５０７（ステップＳ５０６：Ｙｅｓ）に進み、一致しない場合にはステップＳ５０８に進む（ステップＳ５０６：Ｎｏ）。
【００４１】
ステップＳ５０７では、ステップＳ５０６においてｊ番目のプリンタフォルダーアイコンがステップＳ５０１で設定を変更したプリンタフォルダーアイコンに割り当てられた識別子ｙと同一の識別子を持つと判断された場合、ステップ５０１で行った印刷条件の変更と同様の変更をｊ番目のプリンタフォルダーアイコンに対して行う。
【００４２】
ステップＳ５０８では、プリンタフォルダーアイコンをカウントするための変数ｊをインクリメントし、ステップＳ５０４に戻る。
【００４３】
なお、以上説明したユーザインターフェース及び自動処理の手順は、例えばドキュメント出力がファクシミリ装置によって実行される場合や、電子メール等である場合等、様々な出力装置にも同様に適応可能である。
【００４４】
図６は、本発明を適用した自動印刷システムのプログラムが記憶されたコンピュータ読み取り可能な記録媒体の一例であるＣＤ−ＲＯＭのメモリマップを示す図である。同図において、９９９９はディレクトリ情報を記憶する領域であり、以降のインストールプログラムを記憶する領域９９９８及び自動印刷システムのプログラムを記憶する領域９９９７の位置を示している。９９９８はインストールプログラムを記憶する領域である。９９９７は自動印刷システムのプログラムを記憶する領域である。
【００４５】
本発明を適用した自動印刷システムが、パーソナルコンピュータにインストールされる際には、まずインストールプログラムを記憶する領域９９９８に記憶されているインストールプログラムがシステムにロードされて、実行される。次に、インストールプログラムが自動印刷システムのプログラムを記憶する領域９９９７から自動印刷システムのプログラムを読み出して、ハードディスクに格納する。
【００４６】
なお、本発明は、複数の機器（例えばホストコンピュータ、インタフェース機器、リーダ等）から構成されるシステム或いは統合装置に適用しても、一つの機器からなる装置に適用してもよい。
【００４７】
また、上述した実施形態の機能を実現するソフトウェアのプログラムコードを記録した記録媒体を、システム或いは装置に供給し、そのシステム或いは装置のコンピュータ（又はＣＰＵやＭＰＵ）が記録媒体に格納されたプログラムコードを読み出し実行することによっても、本発明の目的が達成されることは言うまでもない。この場合、記録媒体から読み出されたプログラムコード自体が上述した実施形態の機能を実現することになり、プログラムコード自体及びそのプログラムコードを記憶した記録媒体は本発明を構成することになる。プログラムコードを供給するための記録媒体としては、例えば、フレキシブルディスク、ハードディスク、光ディスク、光磁気ディスク、ＣＤ-ＲＯＭ、ＣＤ-Ｒ、磁気テープ、不揮発性のメモリカード、ＲＯＭ等を用いることができる。
【００４８】
また、コンピュータが読み出したプログラムコードを実行することによって、上述した実施形態の機能が実現される他、そのプログラムコードの指示に基づき、コンピュータ上で稼動しているＯＳ等が実際の処理の一部又は全部を行い、その処理によっても上述した実施形態の機能が実現され得る。
【００４９】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によっても上述した実施形態の機能が実現され得る。
【００５０】
なお、本発明は、上述した実施形態の機能を実現するソフトウェアのプログラムコードを記録した記録媒体から、そのプログラムをパソコン通信等の通信ラインを介して要求者に配信する場合にも適用できることは言うまでもない。
【図面の簡単な説明】
【００５１】
【図１】本発明を適用した自動印刷システムの構成例を示す図である。
【図２】自動印刷システムのユーザインターフェースの一例を示す図である。
【図３】本実施形態の自動印刷システムにおいて任意のノードのプリンタフォルダーアイコンにドキュメントアイコンをドラッグ＆ドロップした場合の自動印刷処理を示すフローチャートである。
【図４】プリンタフォルダーツリーＡ、プリンタフォルダーツリーＢ、プリンタフォルダーツリーＣに属するプリンタフォルダーアイコンの設定条件を変更する場合を説明するための図である。
【図５】本実施形態の自動印刷システムにおいて任意のノードのプリンタフォルダーアイコンの印刷条件を変更した場合の処理を示すフローチャートである。
【図６】本発明を適用した自動印刷システムのプログラムが記憶された記録媒体の一例であるＣＤ−ＲＯＭのメモリマップを示す図である。
【符号の説明】
【００５２】
１    パーソナルコンピュータ
２    プリンタ
３    ネットワーク
４    表示装置
５    入力装置
１ａ  プリンタフォルダーアイコン作成部
１ｂ  サブフォルダー作成部
１ｃ  識別子設定部
１ｄ  複製部
１ｅ  変更部
１ｆ  同一識別子検出部
１ｇ  変更反映部
【図１】
2006195562.tif 000003
【図２】
2006195562.tif 000004
【図３】
2006195562.tif 000005
【図４】
2006195562.tif 000006
【図５】
2006195562.tif 000007
【図６】
2006195562.tif 000008